(57)【要約】【課題】顧客要望に応じて事前に受変電設備システムのモデル画像を設計し可視化表示することにある。【解決手段】予め記憶されるシステム構成及び適用機器の選択項目画像を所定の順序で表示し、各選択項目画像の中から顧客の要望に応じて選択される項目のもとに、予め記憶される複数種類の受電方式、配電方式のシステム構成及び適用機器のモデル画像の中から必要なモデル画像を選択し、受変電設備システムの可視化画像を表示する受変電設備システム設計部４Ａと、表示された受変電設備システムに給電する商用系統及び選択された適用機器に対して、予め記憶される故障確率に関わるデータを参照して現在から将来の所定期間ごとの故障確率を求め、受変電設備システムの総故障確率を表示部に可視化表示するリスク評価部４Ｂとを備えた受変電設備システムの設計評価支援システムである。【選択図】図１
2010161913.tif 000002
【特許請求の範囲】
【請求項１】
システム構成及びそのシステム適用機器の選択項目画像と、複数種類の受電方式、配電方式に関するシステム構成及び複数種類のシステム適用機器の故障確率及びコストに関するデータと、前記システム構成及びそのシステム適用機器のモデル画像とが記憶される記憶手段と、
所定の順序で前記選択項目画像を前記記憶手段から読み出して表示部へ表示し、当該各選択項目画像の中から顧客の要望に応じて選択される所要の項目に基づいて必要な前記モデル画像を前記記憶手段から選択的に読み出し、受変電設備システムに関する画像を前記表示部に可視化表示する受変電設備システム設計部と、
この表示された受変電設備システムに給電する商用系統及び前記選択されたシステム適用機器に対して、前記記憶された前記故障確率に関わるデータを参照して現在から将来の所定期間ごとの故障確率を求め、前記受変電設備システムの総故障確率を前記表示部に可視化表示するリスク評価部とを備えたことを特徴とする受変電設備システムの設計評価支援システム。
【請求項２】
請求項１に記載の受変電設備システムの設計評価支援システムにおいて、
前記システム構成及びそのシステム適用機器の選択項目画像は、前記受変電設備システムのシステム構成に関する複数の選択項目画像、そのシステム適用機器に関する複数の選択項目画像を所定の順序に従って順次個別的に表示し、所要の項目の選択または入力を促すことを特徴とする受変電設備システムの設計評価支援システム。
【請求項３】
請求項１に記載の受変電設備システムの設計評価支援システムにおいて、
前記システム構成及びそのシステム適用機器の選択項目画像は、前記受変電設備システムのシステム構成ごと、前記そのシステム適用機器ごとに、それぞれまとめて選択項目画像を表示し、所要の項目の選択または入力を促すことを特徴とする受変電設備システムの設計評価支援システム。
【請求項４】
請求項１に記載の受変電設備システムの設計評価支援システムにおいて、
前記受変電設備システム設計部としては、受変電設備システムのシステム構成の種類とシステム適用機器の種類とを対応付けたコスト一覧を表すコスト（予算額）テーブルが設けられ、前記表示された受変電設備システムの画像上に、各選択項目画像の中から選択された項目に従って、前記受変電設備システムの各適用機器の各コストを積算した総コストを可視化表示することを特徴とする受変電設備システムの設計評価支援システム。
【請求項５】
請求項１ないし請求項４の何れか一項に記載の受変電設備システムの設計評価支援システムにおいて、
前記リスク評価部としては、予め設定される少なくとも前記受変電設備システムの設置地域の停電発生頻度、その停電継続時間、前記受変電の適用機器の平均故障時間、平均復旧時間等に基づいて、現在から将来の所定期間ごとの故障確率を求めることを特徴とする受変電設備システムの設計評価支援システム。
【請求項６】
請求項１ないし請求項３の何れか一項に記載の受変電設備システムの設計評価支援システムにおいて、
前記受電・配電方式の種類としては、自家発電機、太陽電池、無停電装置の１種類以上を付加した受電・配電方式を含むものであることを特徴とする受変電設備システムの設計評価支援システム。
【請求項７】
請求項２ないし請求項６の何れか一項に記載の受変電設備システムの設計評価支援システムにおいて、
前記構成された受変電設備システムにおける初期コスト、運用コスト、損害費用及び収入に関するライフサイクルコストを算出して表示する費用対効果評価部を、さらに付加したことを特徴とする受変電設備システムの設計評価支援システム。
【請求項８】
予め記憶されるシステム構成及びそのシステム適用機器の選択項目画像を所定の順序で読み出して表示し、当該選択項目画像の中から顧客の要望に応じて所要の項目を選択し、この選択項目に対応する予め記憶される前記システム構成及びそのシステム適用機器のモデル画像を読み出し、受変電設備システムに関する画像を可視化表示し、かつ、この表示された受変電設備システムの画像上に、前記各選択項目画像の選択項目に従って、予め記憶される複数種類の受電方式、配電方式に関するシステム構成及び複数種類のシステム適用機器のコストに関するデータを順次読み出し当該適用機器に対応付けて格納し、この格納されたコストデータを積算し総コストを可視化表示する受変電設備システム設計ステップと、
この表示された受変電設備システムに給電する商用系統及び前記選択されたシステム適用機器に対して、予め記憶される複数種類の受電方式、配電方式に関するシステム構成及び複数種類のシステム適用機器の故障確率に関するデータを参照して現在から将来の所定期間ごとの故障確率を求め、前記受変電設備システムの総故障確率を可視化表示するリスク評価ステップとを有することを特徴とする受変電設備システムの設計評価支援方法。
【請求項９】
請求項８に記載の受変電設備システムの設計評価支援方法において、
前記請求項８に記載された総コストに新規に付加される初期のコストを加えて初期コストを計算する初期コスト処理ステップと、前記受変電設備システムにおける現在から一定期間にわたる運用段階で必要とする消耗品、前記故障確率に基づいた故障に対する修理代金、人件費等の各種運用コストを計算する運用コスト処理ステップと、事故に対する補償、影響に関する損害費用を計算する損害費用処理ステップと、少なくとも熱回収、自家発電による売電及び本来支払うべき費用の低減等を考慮して総収入コストを計算する収入処理ステップと、前記システム構成、前記システム適用機器及び運用条件を異にする複数の仮想構築される複数の受変電設備システムのコスト比較を行う総合処理ステップとからなる費用対効果評価ステップを、さらに付加したことを特徴とする受変電設備システムの設計評価支援方法。
【請求項１０】
請求項８または請求項９に記載の受変電設備システムの設計評価支援方法において、
前記受変電設備システムにおける総故障確率の計算処理結果の可視化表示は、予め前記受変電設備システムの各システム適用機器ごとに交換タイミングや保守点検期間の標準値が記憶され、この標準値に達した交換タイミングや保守点検期間等に対応した前記システム構成上の故障率計算単位で最もネックとなる部分の前記モデル画像を他の部分と異なる色で表示するか、あるいは点滅による警告表示を行うことを特徴とする受変電設備システムの設計評価支援方法。
【請求項１１】
請求項９に記載の受変電設備システムの設計評価支援方法において、
前記総合処理ステップは、予め定める運用コスト、修理コスト等から定める複数のコスト比較基準により以下のＡ〜Ｅの何れか１つ以上のコストの高低順を可視化表示し、多次元的にコスト比較を行うことを特徴とする受変電設備システムの設計評価支援方法。
Ａ：試算モデル中トータルコストの低いモデル順に並べる。  
Ｂ：初期コストが低いモデル順に並べる。  
Ｃ：運用コストが低いモデル順に並べる。  
Ｄ：故障確率の低いモデル順に所定のモデル数で並べ、更にその内でトータルコストを比較し、トータルコストの低いもの順に並べ直す。  
Ｅ：試算モデル中の所定のモデル数でトータルコストの低いモデル順に並べ、更にその内で故障確率の低いモデル順に並べ直す。
【発明の詳細な説明】
【技術分野】
【０００１】
本発明は、顧客（個人，会社等の所有ビル、工場等の電源設備設置事業者又は設計者等）の要望を取り込みながら、構内受変電設備システムに関する初期段階の設計を支援する受変電設備システムの設計評価支援システム及びその設計評価支援方法に関する。
【背景技術】
【０００２】
近年、インターネットの利用技術やネットワークコンピュータによる業務処理の急速な増加に伴い、高品質の受変電設備システムの需要が高まっている。その理由は、受変電設備システムに障害などが発生すると、企業内の全組織の業務が停滞、停止に陥り、計り知れない甚大な被害を蒙る恐れがある為である。
【０００３】
受変電設備システムの品質を高める施策としては、近年の技術的進歩により、ＵＰＳ（無停電電源設備）を筆頭に、瞬時電圧低下補償装置、発電設備、高調波フィルタ、アクティブフィルタなど数多くの品質補償用の設備機器が開発されてきている。しかし、このような受変電設備機器を単に組み合わせれば、高品質の電源設備を維持できるものでなく、その他多くの要因（ライフサイクルコスト、地域の停電状況等）も考慮する必要がある。
【０００４】
受変電設備システムの設置事業者等においては、電源品質の維持＝負荷設備の健全な運転＝企業活動の安定的な継続が不可欠であり、電源設備の品質が維持できない場合には安定的な企業活動が営めず、機会損失や歩留まりなどの損金を計上せざるを得ない。
【０００５】
そこで、受変電設備システムを構築するに際し、初期投資と、リスク（停電，瞬停，周波数異常，機器の故障などによる損失）との関係を可視化し、その中から適切な受変電設備を選択するのが望ましい。
【０００６】
ところで、近年、電力系統対象区域（例えば市・町村単位）における熱需要と電力需要とを考慮した複数の分散電源計画を立て、その中から対象区域に合った電源配置計画を選択し、その電源配置計画に従って電力系統の構成案や電力品質案を求め、さらに各案に対する環境性，経済性を比較評価する設計評価手法が提案されている（特許文献１）。
【先行技術文献】
【特許文献】
【０００７】
【特許文献１】特開２００７−２４４１２７号公報
【発明の概要】
【発明が解決しようとする課題】
【０００８】
しかしながら、特許文献１の技術は、一般に自治体レベルで進められているマイクログリッド構想に基づく電源配置計画の設計評価方法である。マイクログリッド構想とは、ＣＯ2削減等の観点から、一般需要者が供給を受けている電力系統とは別に自ら発電できる地域分散電源となる燃料電池、太陽光発電、風力発電等を繋ぎ合せ、電力制御を実現しようとする試みであって、主電力系統が断たれたとき、あるいは需要電力が少ないとき、地域分散電源を有効に利用しようとする構想である。
【０００９】
そのため、私的企業（設備設置事業者等）の受変電設備システムを考えたとき、設計規模が大きく、個別の設備設置事業者の要望からかけ離れた電源配置計画であり、初期投資にも多大なコストがかかる問題がある。
【００１０】
個別の設備設置事業者にとっては、受変電設備システムの品質の向上を望む一方、電源設備機器の選定が難しいとか、電源設備の導入後の設備の維持管理、メンテナンスにかかる予算、トラブル発生時の二次的損失の程度、二重化した際にどの程度のリスクを低減できるか、あるいはライフサイクルコストはどの程度なのかなど、悩ましい多くの問題を抱えている。
【００１１】
そこで、受変電設備システムの設計支援システムとしては、設備設置事業者の受変電設備設置の要望に少しでも応える必要があるが、現状ではそのような要望に応えるシステムは存在しない。
【００１２】
本発明は上記事情に鑑みてなされたもので、電源設備設置事業者との事前協議の段階で要望を取り入れながら設計した受変電設備システムの構成やコストデータを可視化表示し、顧客の要望に合った受変電設備システムの構築を実現する受変電設備システムの設計評価支援システムを提供することを目的とする。
【００１３】
また、本発明の他の目的は、受変電設備システムに関する費用対効果を評価して提示する受変電設備システムの設計評価支援システム及びその設計評価支援方法を提供することにある。
【課題を解決するための手段】
【００１４】
上記課題を解決するために、本発明に係る受変電設備システムの設計評価支援システムは、システム構成及びそのシステム適用機器の選択項目画像と、複数種類の受電方式、配電方式に関するシステム構成及び複数種類のシステム適用機器の故障確率及びコストに関するデータと、前記システム構成及びそのシステム適用機器のモデル画像とが記憶される記憶手段と、所定の順序で前記選択項目画像を前記記憶手段から読み出して表示部へ表示し、当該各選択項目画像の中から顧客の要望に応じて選択される所要の項目に基づいて必要な前記モデル画像を前記記憶手段から選択的に読み出し、受変電設備システムに関する画像を前記表示部に可視化表示する受変電設備システム設計部と、この表示された受変電設備システムに給電する商用系統及び前記選択されたシステム適用機器に対して、前記記憶された前記故障確率に関わるデータを参照して現在から将来の所定期間ごとの故障確率を求め、前記受変電設備システムの総故障確率を前記表示部に可視化表示するリスク評価部とを備えた構成である。
【００１５】
また、本発明は、上記受変電設備システムの設計評価支援システムの構成に新たに、前記構成された受変電設備システムにおける初期コスト、運用コスト、損害費用及び収入に関するライフサイクルコストを算出して表示する費用対効果評価部を付加した構成である。
【００１６】
さらに、本発明に係る受変電設備システムの設計評価支援方法は、予め記憶されるシステム構成及びそのシステム適用機器の選択項目画像を所定の順序で読み出して表示し、当該選択項目画像の中から顧客の要望に応じて所要の項目を選択し、この選択項目に対応する予め記憶される前記システム構成及びそのシステム適用機器のモデル画像を読み出し、受変電設備システムに関する画像を可視化表示し、かつ、この表示された受変電設備システムの画像上に、前記各選択項目画像の選択項目に従って、予め記憶される複数種類の受電方式、配電方式に関するシステム構成及び複数種類のシステム適用機器のコストに関するデータを順次読み出し当該適用機器に対応付けて格納し、この格納されたコストデータを積算し総コストを可視化表示する受変電設備システム設計ステップと、
この表示された受変電設備システムに給電する商用系統及び前記選択されたシステム適用機器に対して、予め記憶される複数種類の受電方式、配電方式に関するシステム構成及び複数種類のシステム適用機器の故障確率に関するデータを参照して現在から将来の所定期間ごとの故障確率を求め、前記受変電設備システムの総故障確率を可視化表示するリスク評価ステップとを有する受変電設備システムの設計評価支援方法である。
【００１７】
さらに、本発明は、前記各種ステップ処理を有する設計評価支援方法に新たに、前記総コストに新規に加わる初期のコストを考慮して初期コストを計算する初期コスト処理ステップと、前記受変電設備システムにおける現在から一定期間にわたる運用段階で必要とする消耗品、前記故障確率に基づいた故障に対する修理代金、人件費等の各種運用コストを計算する運用コスト処理ステップと、事故に対する補償、影響に関する損害費用を計算する損害費用処理ステップと、少なくとも熱回収、自家発電による売電及び本来支払うべき費用の低減等を考慮して総収入コストを計算する収入処理ステップと、前記システム構成、前記システム適用機器及び運用条件を異にする複数の仮想構築される複数の受変電設備システムのコスト比較を行う総合処理ステップとからなる費用対効果評価ステップを設けた受変電設備システムの設計評価支援方法であっても良い。
【発明の効果】
【００１８】
本発明によれば、電源設備設置事業者との事前協議の段階で要望を取り入れながら設計した受変電設備システムの構成やコストデータを可視化表示し、顧客の要望に合った受変電設備システムの構築を実現できる受変電設備システムの設計評価支援システムを提供できる。
【００１９】
また、本発明によれば、受変電設備システムに対して適切に費用対効果を評価して顧客に可視化した状態で提示することができる。
【図面の簡単な説明】
【００２０】
【図１】本発明に係る受変電設備システムの設計評価支援システム及び受変電設備システムに適用する設計評価支援方法の一実施の形態を示す構成図。
【図２】データベースに格納されているシステム構成の各選択項目画像の表示及び所要の項目を選択する例を説明する図。
【図３】データベースに格納されているシステム適用機器の各選択項目画像の表示及び所要の項目を選択する例を説明する図。
【図４】データベースに格納されているシステム構成及びシステム適用機器のモデル画像ファイルの一例を示す図。
【図５】各選択項目画像の中から選択された項目を順次保存管理するデータベース中の管理テーブルのデータ配列例を示す図。
【図６】予めシステム構成毎対システム適用機器ごとのコストを規定した初期コストの一覧を示す初期コストテーブルの一例を示す図。
【図７】図１に示す受変電設備システム設計部における処理手順の一例を説明するフロー図。
【図８】受変電設備システム設計部で仮想構築された受変電設備システムの画像表示例を示す図。
【図９】図１に示すリスク評価部における処理手順の一例を説明するフロー図。
【図１０】図１に示す費用対効果評価部の機能ブロック及び費用対効果評価ステップを説明する図。
【図１１】費用対効果評価部の処理に使用されるコスト一覧画像ファイルの一例を示す図。
【図１２】図１に示す費用対効果評価部における処理手順の一例を説明するフロー図。
【発明を実施するための形態】
【００２１】
以下、本発明の実施の形態について、詳細に説明する。
【００２２】
図１は本発明に係る受変電設備システムの設計評価支援システム及びそのシステムに適用される設計評価支援方法の実施の形態を示す構成図である。
【００２３】
この設計評価支援システムは、受変電設備システムを設計するために必要な選択指示や設計評価に関する各種の処理制御指示であるコマンドや所定の選択項目に対するパラメータ等を入力するキーボード，ポインティングデバイス（例えばマウス）等の入力部１と、受変電設備システムを設計するために必要な信頼性やコスト等の各種データ、選択項目画像やモデル画像データを始め、設計評価に必要なデータを格納するデータベース２と、受変電設備システムの設計評価を支援する各種のアプリケーションソフトを格納するプログラムデータ記憶部３と、それらのアプリケーションソフトにより後述する機能を実行するＣＰＵで構成される設備設計システム評価処理部４と、モデル画像や所要の入力操作に必要な画面等を表示する表示部５と、そこで表示される画像のビデオメモリに相当する表示画像データ記憶部６とによって構成される。なお、各種のアプリケーションソフトはデータベース２にエリア分けして記憶してもよい。
【００２４】
データベース２には、少なくとも受変電設備システム設計エリア２ａ，リスク評価エリア２ｂ、費用対効果評価エリア２ｃが設けられている。
【００２５】
受変電設備システム設計エリア２ａには、少なくとも図２及び図３に示すシステム構成及びシステム適用機器の選択項目画像ファイル２ａａ、図４に示す受電方式、配電方式に関するシステム構成及び複数種類のシステム適用機器のモデル画像ファイル２ａｂ、図５に示す管理テーブル２ａｃ、図６に示す初期コストテーブル２ａｄ等が格納されている。
【００２６】
すなわち、図２はシステム構成の各選択項目画像を矢印に従って順次表示している状態を示す図、図３はシステム適用機器の各選択項目画像を矢印に従って順次表示している状態を示す図である。また、図４は５種類の受電方式（図２のＧ４参照）のモデル画像ファイルのうち、後記する説明上、例えば１種類の常用・予備受電の２つのモデル画像だけを示しているが、他の種類の受電方式も同様に複数のモデル画像がファイル化され、データベース２の受変電設備システム設計エリア２ａに記憶されている。
【００２７】
また、図には記載されていないが、配電方式及びシステム適用機器についても、例えば図２のＧ６，Ｇ８〜Ｇ１２に示すように複数種類の選択項目画像に対応してモデル画像がファイル化され、受変電設備システム設計エリア２ａに記憶されている。これらのモデル画像は、設備設計システム評価処理部４で更に表示部５に表示されるように加工・変換され、表示画像データ記憶部６に書き込み、読み出される。
【００２８】
なお、配電方式については、建物の階や工場の規模等に応じて幾つの分岐回線とするか、あるいは配電方式の一部に太陽光発電の電力エネルギーを採用するか等の系統設計であり、システム適用機器とは、分岐回線の負荷容量や取り扱う使用電源電圧（１０５Ｖ，２１０Ｖ，４１５Ｖ）に応じて、変圧器、しゃ断器、断路器の種類、スペックで選択された設備機器である。
【００２９】
設計評価支援システムは、以上のように選択された受電方式のモデル画像データと配電方式のモデル画像データとを組み合わせた母線共通ライン、分岐回線のシステム構成、すなわち系統図にシステム適用機器である設備機器のモデル画像を付加し、表示部５に可視化表示する。
【００３０】
管理テーブル２ａｃは、システム構成及びシステム適用機器の候補を管理するために、図２及び図３の各選択項目画像Ｇ１〜Ｇ１２、Ｇ２１〜Ｇ２５から１つの項目を選択し、あるいは所要の値を入力したとき、その選択項目内容の他、特定の選択項目だけに連なるモデル画像ファイルアドレスやコストを順次保存するテーブルである。
【００３１】
初期コストテーブル２ａｄは、予めシステム構成の選択項目と適用機器の選択項目とを対応付け、その交叉領域に発生するコスト（予算額）が記憶されている。つまり、システム構成の選択項目に応じて当該システム構成に適用する機器のコストを記憶するもので、コストの発生しない交叉領域にはコストは記憶されず、空白となる。
【００３２】
データベース２のリスク評価エリア２ｂには、受変電設備システムの信頼性や運用性をシミュレートする為のデータ、すなわちシステム適用機器およびそれらを組み合わせた系統、構成に関わる故障確率や故障履歴等のデータが格納されている。
【００３３】
例えば、受変電設備システムの設置地域の商用系統の瞬停を含む過去の停電発生頻度、それらの停電継続時間、発電機や無停電電源装置の停電保証時間、受変電設備機器（変圧器を含む）ごとの設置日（製造日）、平均故障（寿命）時間、設備交換日、故障に対する平均復旧時間等が記憶されている。
【００３４】
データベース２の費用対効果評価エリア２ｃには、機材コストデータの他、例えば現在から一定期間ごとに更新される運用コストに関するデータ、損害費用に関するデータ、熱回収や売電を考慮した収入となる電気代（太陽光発電、自家発電機等）や行政機関からの補助金に関するデータ等のコスト情報が記憶される。
【００３５】
プログラムデータ記憶部３には、受変電設備システムの設計評価を実行する例えば受変電設備システム設計用プログラムｐａ，リスク評価用プログラム（リスク評価シミュレーションツール）ｐｂ，費用対効果評価用プログラムｐｃａ、これを実行するためのコスト積算プログラムｐｃｂ、画像編集ソフト（ＣＡＤ設計ソフトを含む）ｐｄ等が格納されている。
【００３６】
設備設計評価処理部４は、受変電設備システム設計部４Ａ、リスク評価部４Ｂ、設備の費用対効果評価部４Ｃ及び表示出力制御部４Ｄなどによって構成される。
【００３７】
受変電設備システム設計部４Ａは、受変電設備システム設計用プログラムｐａに従い、前記選択項目画像Ｇ１〜Ｇ１２、Ｇ２１〜Ｇ２５の順序で表示し、各選択項目画像の中から顧客の要望に応じて所要の項目を選択させ、その選択項目内容を順次前述した管理テーブル２ａｃに記憶し、かつ、受電方式や配電方式等に関係する選択項目に連なる画像ファイルアドレスに基づいて必要なモデル画像を受変電設備システム設計エリア２ａから読み出して組み合わせることにより、システム構成及びシステム適用機器を組み入れた受変電設備システムアーキテクチャを仮想構築する。
【００３８】
そして、仮想構築されたシステムの系統や機器に関わるアーキテクチャ情報を受変電設備システム設計部４Ａ、リスク評価部４Ｂ、設備の費用対効果評価部４Ｃ及び表示出力制御部４Ｄへ出力することにより、画像表示制御部４Ｄ及び表示画像データ記憶部６を介して表示部５に可視化表示する機能を持っている。
【００３９】
リスク評価部４Ｂは、入力されたアーキテクチャ情報からリスク評価用プログラムｐｂに従い、受変電設備システム設計部４Ａで設計された受変電設備システムの故障発生確率を演算し、単位系統出力毎の想定リスクまたは系統全体の想定リスク等を表示部５に可視化表示するリスク評価データを費用対効果評価部４Ｃと表示出力制御部４Ｄとに出力する機能を持っている。
【００４０】
費用対効果評価部４Ｃは、入力されたアーキテクチャ情報とリスク評価データとから費用対効果評価用プログラムｐｃａ及びそのコスト積算プログラムｐｃｂに従って、負となる費用と収入とを勘案しながらライクサイクルコストを算出することにより、受変電設備システムの費用対効果を評価し、表示部５に可視化表示するデータを表示出力制御部４Ｄに出力する機能を持っている。
【００４１】
表示出力制御部４Ｄは、受変電設備システム設計部４Ａ、リスク評価部４Ｂ及び設備の費用対効果評価部４Ｃから出力されるデータを入力し、言い換えれば、それら各部と連携し、画像編集ソフトやＣＡＤ設計ソフトｐｄを用いて、受変電設備システム設計エリア２ａから読み出した画像データを各処理部４Ａ〜４Ｃから入力したデータと組み合わせて表示部５で表示する表示画像情報を生成する。
【００４２】
そして、生成された表示画像情報を表示画像データ記憶部６に格納した後、表示部５に出力することにより、オペレータが見やすいように表示部５に可視化表示する機能を持っている。
【００４３】
次に、以上のような設計評価支援システムの作用について説明する。  
本発明は、整理すると設計評価支援システムの作用の基本概念は次の４通りからなる。  
その１つ目は、受変電設備システムに対して選択されるアーキテクチャ（システム構成、系統）と、アーキテクチャを構成する機器のスペックによって選択される適用機器との組み合わせからなるシステムのモデルを仮想構築するとともに、当該モデルを具体的なハードウェアイメージで理解できるように可視化画像で表示することにある。
【００４４】
２つ目は、そのモデルに対する機材、工事費等の初期コストを求めることにある。  
３つ目は、そのモデルに対する信頼性をシミュレートし、故障修理等を含めた運用コストを求めることにある。
【００４５】
４つ目は、運用期間、収入を含めたライフサイクル等を考慮してそのモデルに対する費用対効果を求めるものである。
【００４６】
そして、以上のような状況を踏まえつつ、仮想構築するモデルについて基本アーキテクチャが異なる複数のモデルを準備または最初に準備したモデルのアーキテクチャや機器のスペックを変更することにより、複数のモデルや変形例を比較検討し、各モデルの費用対効果を検討することにある。
【００４７】
（１）  受変電設備システムの設計部４Ａの動作（図７のフローチャート参照）。
【００４８】
この受変電設備システムの設計部４Ａでは、システム構成と適用機器に対する必要項目を選択し、検討対象となる受変電設備システムのモデルを作成、言い換えれば仮想構築する。
【００４９】
先ず、設計支援者により、入力部１を通して受変電設備システム設計指示が入力されると、設計評価支援システムが起動され、受変電設備システムの設計指示と判断し（Ｓ１）、受変電設備システム設計用プログラムｐａを読み出し、受変電設備システム設計部４Ａが所定の手順の実行を開始する。
【００５０】
すなわち、受変電設備システム設計部４Ａは、受変電設備システムの設計指示と判断したとき、データベース２の受変電設備システム設計エリア２ａから所定の順序に従い、先ず、最初にシステム構成に関する選択項目画像ファイルを読み出し、表示部５に図２に示す受電電圧の選択項目画像Ｇ１を表示し（Ｓ２）、それら複数の選択項目の中から１つの項目の選択を促す（Ｓ３）。
【００５１】
ここで、複数の選択項目の中から図示点線枠で示す受電電圧６６ＫＶをクリックすると、図５の管理テーブル２ａｃの受電電圧項目に対応付けて「６６ｋＶ」を登録する（Ｓ４）。しかる後、入力部１から、例えば“ＥＮＤ”コマンドのようなシステム構成項目選択完了の指示が入力されない限り、項目選択完了でないと判断し（Ｓ５）、ステップＳ２に戻り、自動的に次の定格短時間電流の選択項目画像ファイルを読み出し、表示部５に図２に示す定格短時間電流の選択項目画像Ｇ２を表示し（Ｓ２）、それら複数の選択項目の中から１つの項目の選択を促す（Ｓ３）。ここで、複数の選択項目の中から図示点線枠で示す定格短時間電流の３１．５ｋＶＡをクリックすると、図５の管理テーブル２ａｃの定格短時間電流項目に対応付けて「３１．５ｋＶＡ」を登録する（Ｓ４）。
【００５２】
以後、同様に選択項目画像Ｇ３〜Ｇ１２の順序で表示部５に表示し（Ｓ２）、１１つの選択項目を選択させる。但し、選択項目画像Ｇ６，Ｇ９，Ｇ１０では、設計者が該当画像のメッセージに従って所定の値を入力する。例えば選択項目画像Ｇ６の1つの項目であるインピーダンスについては、「一般に４〜１５％程度」とメッセージ表示されているので、過去の経験，知識等を考慮し、メッセージの範囲で「１５％」を入力し、管理テーブル２ａｃに登録する。
【００５３】
そして、ステップＳ４において、システム構成の全ての選択項目画像Ｇ１〜Ｇ１２を表示し、それぞれ1つの項目を選択し、あるいは所定の値を入力し、完了すると、入力部１からのシステム構成項目選択完了の入力指示のもとにシステム構成項目選択完了と判断し（Ｓ５）、次のシステム適用機器に関する選択項目画像Ｇ２１〜Ｇ２５を順次表示し、それぞれ1つの項目を選択させる（Ｓ６〜Ｓ９）。
【００５４】
なお、入力部１からのシステム構成項目選択完了の入力指示に基づき、システム適用機器に関する選択項目画像を選択するようにしたが、例えばメモリカウンタに予めシステム構成の選択項目数をセットし、選択項目画像を表示するごとにダウンカウントし、入力部１からシステム構成項目選択完了の入力指示を受けることなくメモリカウンタが「０」となったとき、自動的に次のステップＳ６に移行し、システム適用機器に関する選択項目画像Ｇ２１〜Ｇ２５を順次表示し、それぞれ1つの項目の選択させるようにしてもよい。
【００５５】
このとき、選択項目画像Ｇ１〜Ｇ１２，Ｇ２１〜Ｇ２５の中の１つの選択項目に連なってデータベース２の管理テーブル２ａｃにモデル画像ファイルアドレスが存在する場合、管理テーブル２ａｃの該当選択項目に対応付けて該当モデル画像ファイルアドレスＡＤａ〜ＡＤｇ２１〜ＡＤｇ２５を登録しておく。
【００５６】
そして、入力部１から“ＥＮＤ”コマンド入力が行われることにより適用機器項目選択完了と判断したとき（Ｓ９）、管理テーブルａｃのモデル画像ファイルアドレスに基づき、データベース２の受変電設備システム設計エリア２ａに保存されている受電方式、配電方式に関するシステム構成及び複数種類のシステム適用機器のモデル画像ファイル２ａａ，…（図４に一部のみ記載）を順次選択的に読み出し、ＣＡＤ設計ソフトを含む画像編集ソフトｐｄを用いて、表示画像データ記憶部６上で編集処理を実行し、受変電設備システムを仮想構築し、表示部５に表示する（Ｓ１０）。
【００５７】
図８は受変電設備システムの系統図による画像イメージ図である。この図８には、受電方式（Ａ）、変圧器（Ｂ）、しゃ断器（Ｃ）、変圧器（Ｄ）、配電方式（Ｅ），（Ｆ）、発電機設備（Ｇ）等のシステム構成とシステム適用機器とを組み合わせてなる受変電設備システムの系統図を表している。
【００５８】
図８は、図２及び図３に紐付けされ、図８の（Ａ）に相当する部分は、図２の（Ａ）部分に相当し、図８の（ア）に相当する部分は、図３の（ア）部分に相当する。
【００５９】
すなわち、選択項目画像Ｇ１〜Ｇ５の中からそれぞれ１つの項目を選択すると、それら項目に連なるモデル画像ファイルアドレスＡＤａに記憶されているモデル画像を組み合わせ、図８の（Ａ）に相当する受電方式のシステム構成の系統図のモデル画像（Ａ）を作成する。
【００６０】
引き続き、選択項目画像Ｇ６で必要な値を入力することにより、当該バンク数に応じた変圧器のモデル画像ファイル２ａｂを読み出し、図８の（Ｂ）に相当する変圧器周りのシステム構成の系統図のモデル画像（Ｂ）を作成する。
【００６１】
同様にシステム構成に関する図２の選択項目画像Ｇ７（ここでは（Ｃ）に該当する。）〜Ｇ１２（ここでは（Ｇ）に相当する。）の中から１つの項目を選択し、当該選択項目に連なる各システム構成のモデル画像ファイルアドレス、例えば、選択項目画造Ｇ７に対するＡＤｃを管理テーブル２ａｃに登録しておく。そして、管理テーブル２ａｃのモデル画像ファイルアドレスＡＤａ〜ＡＤｇに基づいて対応するモデル画像ファイル２ａａ〜２ａｇを読み出し、図８に示すように（Ａ）〜（Ｇ）のモデル画像（Ａ）〜（Ｇ）を組み合わせた受変電設備システムを仮想構築する。
【００６２】
そして、前述したように仮想構築した受変電設備システムを可視化する全体系統図を、表示部５に表示することができる。
【００６３】
なお、選択項目画像Ｇ２１〜Ｇ２５の中から１つの項目を選択したとき、モデル画像（Ａ）、（Ｂ）、（Ｅ）の中に選択された項目の適用機器が用いられていることを表すだけでなく、適用機器に連なるモデル画像ファイルアドレスから例えば分岐ラインごとに進相用コンデンサのモデル画像（エ）を挿入した受変電設備システムモデル（ここでは、システムモデル＃１とする。）を仮想構築できる。
【００６４】
この仮想構築されたシステムモデル＃１の構築要素（構成及び適用機器、スペック等）に関わる諸データは、例えば、入力部１から記録コマンドとして“ＳＴＯＲＥ：Ｍ＃１”が入力されると、“Ｍ＃１”のように名付けられ、管理テーブル２ａｃに書き込み記憶される。
【００６５】
さらに、表示部５に受変電設備システムの画像イメージの表示中に、入力部１から初期コストの計算指示が入力されたとき（Ｓ１１）、適用機器に紐付けられ管理テーブル２ａｃに格納されているコストデータにより初期コスト計算処理を実行する。
【００６６】
この初期コスト計算処理は、コスト両プログラムｐｃａ、ｐｃｂにより管理テーブル２ａｃの登録されているシステム構成とシステム適用機器との各選択項目に基づき、図６に示す初期コストテーブル２ａｄの交叉領域に保存される機材費や工事費等の各コストを順次読み出し、例えば管理テーブル２ａｃのコスト項目の必要なエリアに順次書き込み、これら各コストを積算して受変電設備システムの初期コストを求めて管理テーブル２ａｃのＭ＃１のデータに追加書き込み記憶すると共に、表示部５に表示する（Ｓ１３）。
【００６７】
以上のように表示部５に受変電設備システムの画像及び初期コストを表示した後、入力部１から、例えば、“ＲＥＶ”のコマンド入力により変更指示が入力されたか否かを判断し（Ｓ１４）、例えば、“ＲＥＶ”に続いて、“ＣＯＳＴ”が入力されることにより顧客の予算との関係から変更指示が入力されたと判断されたとき、システム構成かシステム適用機器かを判断する（Ｓ１５）。
【００６８】
例えば、“ＣＯＳＴ”に続いて、“ＣＯＮＦＩＧ”が入力されることによりシステム構成変更が指定されたとき、ステップＳ２に移行し、必要な選択項目画像を読み出し、順次選択替えを実行し、再度のコスト計算を行う。
【００６９】
その結果、例えば、変更規模が大きく別システムモデル＃２として記憶する場合であれば、記憶コマンドにより“Ｍ＃２”として管理テーブル２ａｃに追加記憶される。
【００７０】
一方、“ＣＯＳＴ”に続いて、“ＭＯＤＥＬ”が入力されることによりシステム適用機器の選択変更が指示された時にはステップＳ６に移行し、必要な選択項目画像を読み出し、順次選択替えを実行し、再度のコスト計算を行う。その結果、変更が小さくシステムモデル＃１の変更または修正として記憶するのであれば、記憶コマンドにより“Ｍ＃１−ａ”として管理テーブル２ａｃに追加記憶される。
【００７１】
なお、実施の形態では、受変電設備システムのシステムモデル（＃２とする。）のシステム構成に関する複数の選択項目画像Ｇ１〜Ｇ１２、そのシステム適用機器に関する複数の選択項目画像Ｇ２１〜Ｇ２５を所定の順序に従って順次個別的に表示し、各選択項目画像の中から所要の項目の選択または入力を促すようにしたが、システム構成ごと、そのシステム適用機器ごとに、それぞれまとめて複数の選択項目画像を一括表示し、各選択項目画像の中から順次所要の項目の選択し、または入力を促すようにしてもよい。
【００７２】
また、複数の選択項目画像Ｇ１〜Ｇ１２、Ｇ２１〜Ｇ２５は図２及び図３に限定されるものでなく、予め任意選択的に必要な選択項目の画像を作成し、所定の順序に従って順次表示するか、あるいは一括表示する構成であればよい。
【００７３】
（２）  リスク評価部４Ｂの動作
設備設計評価処理部４のリスク評価部４Ｂによる処理の一例について、図９のフローチャートを参照して説明する。  
リスク評価部４Ｂは、リスク評価用プログラムｐｂ（リスク評価シミュレーションツール）に基づいて、例えば、前述のシステムモデル＃２に対する受変電設備システムの単位出力幹線毎に想定リスクとなる故障確率を計算し、可視化表示する処理を実行する。ここで、故障確率とは、例えば受電系統の瞬停を含む停電の平均期間や受変電設備システムの各適用機器（設備機器）等の平均寿命期間に対して、おおよそのシステムの単位期間（例えば５年単位）毎の受変電設備システムの予想運用期間（例えば３０年）の間に故障する確率（割合）で表すことをいう。
【００７４】
リスク評価部４Ｂは、入力部１からの設計支援者による故障確率の指示に基づき（Ｓ２１）、かつ、リスク評価用プログラムに従い、受変電設備システム設計部４Ａで選択決定された受変電設備システムの画像を読み出し、表示部５に表示する（Ｓ２２）。
【００７５】
しかる後、単位出力幹線（例えば受電回線）ごとに、データベース２のリスク評価エリア２ｂから各システム適用機器及び設置地域の商用系統の瞬停を含む過去の停電発生頻度、すなわち故障確率データを取り出す。例えば、商用系統は、それを１つの故障発生要素として捕えているので（以下、受変電設備システムも含む）、その故障確率を求める（Ｓ２３）。この故障確率は、システム全体の故障率算出の１つであるので、データベース２の適宜なエリアに記憶する。
【００７６】
このとき、必要であれば、横軸に期間（年数）、縦軸に故障確率（０．０から１．０（１００％））とし、受変電設備システムの単位期間である５年ごとに、商用系統の故障確率を折れ線、棒グラフにてウインドウ表示する。
【００７７】
引き続き、前記受変電設備システムの画像の中に自家発電機付加有りかを判断し（Ｓ２４）、自家発電機付加無しと判断された場合には自家発電機の故障確率を求めることなく（Ｓ２５）、受変電設備システム＃２の適用機器（各受変電機器）の平均寿命期間に対し、おおよそのシステム運用期間にわたって、データベース２のリスク評価エリア２ｂに記憶される平均故障時間及びその平均復旧時間を用いて、システム適用機器毎に故障確率を求め（Ｓ２６）、順次関数としてデータベース２の適宜なエリアに記憶していく。このとき、必要に応じて、求めた故障確率を折れ線、棒グラフにてウインドウ表示してもよい。
【００７８】
さらに、選択決定された受変電設備システムの画像の中に他のシステム適用機器が使用されているか否かを判断し（Ｓ２７）、使用されている場合には同様に適用機器の故障確率を求めていく。
【００７９】
そして、必要とする全部の商用系統、自家発電機、各システム適用機器の故障確率を求めた後、各商用系統、発電機、各システム適用機器の故障確率に対して、予め記憶される商用系統、自家発電機、各適用機器ごとの重み関数を乗算し、受変電設備システムにおける所定期間ごとの総故障確率や累積故障率等を求め、表示部５に可視化表示する（Ｓ２８）。
【００８０】
この総故障確率データは、管理テーブル２ａｃに記憶されている，例えば“Ｍ＃２”に追加書き込み記憶される。
【００８１】
なお、可視化表示するに当り、故障系統，機器の重要度及び各商用系統、発電機、適用機器毎に重み関数を割当て、総故障確率を０．０〜１．０の範囲とするか、あるいは各商用系統、発電機、適用機器毎の故障確率×重み関数を順次積み上げ方式で加算し、表示部５に可視化表示してもよい。
【００８２】
総故障確率計算においては、システム適用機器またはそれらを組み合わせたシステム構成部分において、最も故障確率の高い部分がシステム全体でのネックとなる。そこで、一般には、経験則や保守データ等からこれらのシステム適用機器について交換タイミングや保守点検期間が標準値として設定される。これらの値は、故障確率データと合せて管理テーブル２ａｃに記憶されている。
【００８３】
そして、可視化の過程において、上記の交換タイミング等に対応したシステム構成上の故障率計算単位で最もネックとなる部分のモデル画像の色を他の部分と変えるか、点滅させる等の警告表示を行い、信頼性上、適用機器や構成の検討を促すようにしても良い。
【００８４】
また、更に故障確率から上記標準の保守点検期間に対して余裕が少なくなるような場合も同様な警告表示を行って構成の検討を促すようにしても良い。
【００８５】
なお、データベース２のリスク評価エリア２ｂに、商用系統等の停電継続時間、各受変電機器（変圧器を含む）の故障時の平均復旧時間が記憶されているので、これら商用系統等の停電継続時間や各受変電機器（変圧器を含む）の故障平均復旧時間に対する損害額を紐付けしておけば、おおよその損害額を積算し、表示部５に故障確率とそれに対する損害額を可視化表示することができる（Ｓ２９）。
【００８６】
（３）  費用対効果評価部４Ｃの動作
設備設計システム評価処理部４の費用対効果評価部４Ｃについて説明する。
【００８７】
費用対効果評価部４Ｃは、費用対効果評価用プログラムｐｃａに従って受変電設備システム＃２を含む各システム適用機器等の費用対効果を評価するものであって、換言すれば、受変電設備システムにおける支出（負の費用）と収入とのライフサイクルコストを算出する処理を行う。
【００８８】
費用対効果評価部４Ｃは、図１０に示すように、初期コスト処理手段４Ｃ１、運用コスト処理手段４Ｃ２、損害費用処理手段４Ｃ３、収入処理手段４Ｃ４及び総合処理手段４Ｃ５から成る。
【００８９】
初期コスト処理手段４Ｃ１は、仮想構築された受変電設備システムから求められる前述した初期コストの他、新規に予想される初期のコストを計算する処理手段である。
【００９０】
運用コスト処理手段４Ｃ２は、受変電設備システムの運用段階で諸々必要とする、例えば、消耗品、前述の故障確率に基づいた故障に対する修理代金、人件費等各種の運用コストを計算する処理である。損害費用処理手段４Ｃ３は、事故に対する補償、影響に関する損害費用を計算する処理手段である。収入処理手段４Ｃ４は、自家発電機等の使用に関する売電や本来支払うべき費用の低減等を考慮して総コストを計算する処理手段である。総合処理手段４Ｃ５は、システム構成、適用機器や運用条件を異にすることにより、仮想構築される複数の受変電設備システムのコスト比較を行う処理手段である。
【００９１】
次に、設備設計システム評価処理部４の費用対効果評価部４Ｃによる処理の一例について、図１１及び図１２を参照して説明する。
【００９２】
入力部１から検討中の受変電設備システム＃２に対して、例えば、“ＥＳＴ：Ｍ＃２”のようにコスト評価指示が入力されると（Ｓ３１）、費用対効果評価用プログラムｐｃａに従い、初期コスト処理手段４Ｃ１を実行する。
【００９３】
初期コスト処理手段４Ｃ１は、コスト一覧画像を表示するか否かを入力部１からの指定を読み出して判断し（Ｓ３２）、更に予めフラグ等の設定に基づいて表示すると判断した場合には、図１１に示すコスト一覧画像を表示部５に表示する（Ｓ３３）。この場合、入力部１からの所定のコスト算出手順によって実行される。例えば、表示部５に、モデル画像や系統図には表示されないコスト算出要因項目を表示（図示せず。）し、オペレータがそれを選択指定または所要のパラメータを入力する等の方法がある。
【００９４】
反対に、表示せずと判断したとき又はステップＳ３３によるコスト一覧画像を表示した後、初期コスト処理を行う。
【００９５】
この初期コスト処理は、選択決定された受変電設備システムの設計時に算出された例えば図５に示す全コストを管理テーブル２ａｃから抽出して積算し、あるいは既に初期コストが計算されている場合には当該総初期コストを抽出する（Ｓ３４）。
【００９６】
さらに、顧客から要求されたシステム構成、適用機器、工事などにわたる項目を例えば、表示部５に表示されるし予定の入力画面の必要項目に、データを入力する等の方法で入力部１から入力する。そして、初期コスト処理手段４Ｃ１は、入力された要求項目と上記抽出されたデータとを比較する。受変電設備設計時の予算に含まない新規の事象、例えば耐震補強等の項目が有るか否かを調べ（Ｓ３５）、有りの場合には新規コストが入力部１から入力され（Ｓ３６）、コスト一覧画像データの費用エリアに書き込むと同時にステップＳ３４にて積算し、新規追加分を含む総初期コストａａａを求めた後、表示部５に初期コスト＝ａａａを表示する（Ｓ３７）。
【００９７】
引き続き、コスト積算プログラムｐｃｂにより運用コスト処理手段４Ｃ２を実行する。運用コスト処理手段４Ｃ２は、データベース２の費用対効果評価エリア２ｃに格納された運用コストに関するデータ及び必要に応じて設計支援者による入力部１から入力されるデータ等を基に、受変電設備システムの運用期間にわたって定期的な保守・保全に関するコスト、システム運用における燃料代、固定資産税等々を順次求める。
【００９８】
これらの運用コストは、消耗品、人件費、定期整備、リスク評価に基づく修理交換見積りも含まれる。当然のことながら、システム構成やシステム適用機器の選択、組み合わせ、定期整備基準等により大きく影響される要因である。
【００９９】
そして、コスト一覧画像データの費用エリアに書き込み、これら個別のコストを積算し、総運用コストｂｂｂを算出する（Ｓ３８，Ｓ３９）。そして、表示部５に総運用コスト＝ｂｂｂ等を表示する（Ｓ４０）。もし、入力部１から、予めコマンドにより例えば、特定のシステム構成とそれに対応する定期点検回数に伴うコスト等の表示項目が指定された場合は、その指定された項目についての運用コストを表示部５に表示する。この指定に対応する情報は、例えば、Ｍ＃１ｒのように名付けられ、管理テーブル２ａｃに記憶されるものであっても良い。
【０１００】
さらに、また、同様にコスト積算プログラムｐｃｂにより損害費用処理手段４Ｃ３及び収入処理手段４Ｃ４におけるコスト見積りを実行する。
【０１０１】
損害費用処理手段４Ｃ３は、設備事故時の休業補償や事故に対する社会的なマイナス要因をコストに換算し、コスト一覧画像データの費用エリアに書き込み、これら個別のコストを積算して総損害費用ｃｃｃを算出し（Ｓ４１，Ｓ４２）、表示部５に総損害費用＝ｃｃｃを表示する（Ｓ４３）。
【０１０２】
さらに、前述のように、対象となる受変電設備システムが、太陽光発電や熱サイクル処理等による発電、エネルギー供給手段を備えるか連接する場合には、支出項目でなく、収入項目をコスト計算に含めることになる。
【０１０３】
そこで、収入処理手段４Ｃ４は、図７の詳細項目ごとに収入を計算し、コスト一覧画像データの費用エリアに書き込み、これら個別のコストを積算して総収入ｄｄｄを算出し（Ｓ４４，Ｓ４５）、表示部５に総収入＝ｄｄｄを表示する（Ｓ４６）。
【０１０４】
しかる後、負に関するコストと収入とからライフサイクルコストを算出し（Ｓ４７）、コスト一覧画像データに書き込んだ後、表示部５にライフサイクルコストを表示するか、あるいはコスト一覧画像データが表示されていない場合にはコスト一覧画像データを表示する（Ｓ４８）。
【０１０５】
ライフサイクルコストの計算にあたっては、例えば、設備の法定償却期間を用いるほか、更に短期または長期にするなど、計算に関わる期間設定を入力部１から入力しても良い。
【０１０６】
これらのコスト要因を積算した最終の結果を管理テーブル２ａｃの受変電設備システム＃２のトータルコストデータ“Ｍ＃２ｃ”として追加書き込み記憶する。
【０１０７】
以上の手順は、例えば、前述の受変電設備システム＃２、また変形された受変電設備システムＭ＃１−ａに対しても実行することができる。システム構成や適用機器スペック等のシステム構成要因についての所要のパラメータやデータ、選択指定を、入力部１から行うことにより、コストに対してカットアンドトライしつつモデルを変化させつつ仮想構築し、それらに対し、上記の各種シミュレーション結果のデータを、“Ｍ＃１ｓ”、“Ｍ＃１−ａｓ”、…、“Ｍ＃２ｓ”、“Ｍ＃２−ｎｓ”のように名付けて記憶保存する。
【０１０８】
そして、それらを再び、入力部１から所定のコマンドを入力し読み出し比較することにより、顧客要求に対するベストソリューションの提示、また、顧客との間で連携をとりながら一体化した検討を進めることができる。
【０１０９】
（４）  複合多元的なコスト評価  
次に、設計評価支援システムは総合処理手段４Ｃ５を実行する。  
以下、総合処理手段４Ｃ５により幾つかのコスト比較基準区別によりモデルを順位付けして評価する方法について説明する。
【０１１０】
総合処理手段４Ｃ５は、前述した複数のシミュレーション結果のデータを抽出、比較照合し、更に編集する。例えば、“ＣＯＳＴ：ＬＡＮＫ：Ｔ”のコマンドが入力されると、トータルコストデータＭ＃１ｓ〜Ｍ＃２−ｎｓのうち、低コスト順に並べて表示部５に表示する。
【０１１１】
また、初期コストが低いモデルを抽出する場合には、例えば、“ＣＯＳＴ：ＬＡＮＫ：Ｔ”のようなコマンドで動作する。
【０１１２】
同様に、運用コスト、修理コストなど様々な種類のコスト比較基準によりコストの高低順に応じて表示出力する機能を処理する手段が総合処理手段４Ｃ５である。
【０１１３】
例えば、設定された運用期間において、  
Ａ：試算モデル中トータルコストの低いモデル順に並べる。  
Ｂ：初期コストが低いモデル順に並べる。  
Ｃ：運用コストが低いモデル順に並べる。  
Ｄ：故障確率の低いモデル順に所定のモデル数で並べ、更にその内でトータルコストを比較し、トータルコストの低いもの順に並べ直す。  
Ｅ：試算モデル中の所定のモデル数でトータルコストの低いモデル順に並べ、更にその内で故障確率の低いモデル順に並べ直す。
【０１１４】
総合処理手段４Ｃ５は、様々な複合組み合わせにより多次元的にコスト比較を行い、モデル順位を出力し表示部５に表示する。
【０１１５】
（５）  モデル化サポート  
さらに、上記の実施の形態としては、システム構成を個々の要因（要素）を積み上げて仮想構築し、言い換えれば受変電設備システムのモデルを作成しているが、総合処理手段４Ｃ５は、以下のようなアドバイス的な検討プロセスを提供することができる。
【０１１６】
実際の受変電設備システムでは、事業所規模や用途毎にある程度の共通的モデルが存在する。そこで、例えば、１００人規模の事務中心の事業所とか、５００人規模の２４時間運用のプラント設備の事業所のようなたたき台となるベースモデル画像を準備し、これらのモデル画像を読み出して表示部５に表示する。そして、この表示されたモデル画像に対し、入力部１から適宜変更箇所を指示しながら変更データを入力し、変更するようにしても良い。
【０１１７】
例えば、初期段階において、予め準備された事業形態選択画面を表示し、かつ、前述したような事業所モデルのリストを表示する。そして、オペレータがりストから５００人規模のプラントをモデルとして選択入力したとする。この入力を受けると、設備設計システム評価処理部４は、管理テーブル２ａｃから５００人規模のプラントをモデルに対応する図８に相当するベースモデルによる系統図が表示される。
【０１１８】
なお、当然のことながら、このベースモデルに対して、系統図同様トータルコストまでのモデルデータが管理テーブル２ａｃに格納されているので、これを基準に変更修正処理が実行される。
【０１１９】
また、その図８に対応して図２のシステム構成の選択及び適用機器の選択項目画像が紐付けられて準備されている。この選択項目画像は、汎用的に準備されている幾つかの候補から、デフォルトもしくは推薦候補として選択された構成や適用機器が例えば反転表示される。この表示は、更に次点のようなアルタネーティブな候補が色を変えるか、小さく表示されるかによって併記される方法でもよい。
【０１２０】
そして、例えば、図８の（Ｂ）（イ）の１号ＴＲと記された変圧器にマウスポインタを合せると、図３の画面に入れ替わり、図３の（イ）部分のガス絶縁変圧器が反転表示される。そして、ガス絶縁変圧器よりも安価な油入変圧器に変更したい場合は、油入変圧器にポインタを合せてマウスをクリックする。
【０１２１】
ここで、マウスである入力部１から変更クリックが総合処理手段４Ｃ５へ通知される。総合処理手段４Ｃ５は、受変電設備システム設計部４Ａ、リスク評価部４Ｂへ、新たな適用機器「油入変圧器」を転送して故障率と諸コストに関わる再計算を指示する。
【０１２２】
同様に、他のシステム適用機器や必要であれば構成に対しても同様に繰り返す。そして、そのトータルコストが得られたとき、例えば、モデルＸ＃１として管理テーブル２ａｃへ書き込み記憶する。
【０１２３】
また、このモデルＸ＃１に対して更なる変更をしたい場合は、前述同様の変更モデルに対する作業や処理手順を進めればよい。その結果、選択作業が予め準備されることにより、モデル作成に要する時間や手間を大きく削減することができる。
【０１２４】
さらに、標準的なシステム構成を基に適用事業所に応じた変更をするので、顧客、設計支援者共に、従来から有している知識を有効に活用し、検討結果のシステムを具体的にイメージし易い効果がある。
【０１２５】
なお、以上述べた実施の形態は、受変電設備システムの設計評価支援システムとして説明しているが、そのシステムの一連の処理手順については設計評価支援方法として捕らえて受変電設備システムに適用できることはいうまでもない。
【０１２６】
以上のような実施の形態によれば、複数種類の受電方式、配電方式等のシステム構成及び変圧器を含む受変電機器等のシステム適用機器の中から顧客の要望に応じて順次選択しつつ、対応するモデル画像データを繋ぎ合せて表示部５に受変電設備システムの画像を仮想構築し、可視化表示するので、即座に受変電設備システムの概要を顧客に提示できるだけでなく、顧客の要望する初期コストを考慮しつつ納得できる受変電設備システムを提供できる。
【０１２７】
また、仮想構築された受変電設備システムに対して、現在から将来の所定期間ごとの故障確率を求め、前記受変電設備システムの総故障確率を可視化表示するので、どの程度の年月にわたって安全、かつ、安定に受変電設備システムを運用できるかを顧客に提示でき、安心させることができる。
【０１２８】
さらに、仮想構築された受変電設備システムの初期コスト、運用コスト、損害費用及び収入に関するライフサイクルコスト、幾つかのコスト比較基準区別によりモデルのコストの順位付けし比較評価する総合処理し、可視化表示するので、顧客に費用対効果の関係を容易に提示できる。
【０１２９】
その他、本発明は、上記実施の形態に限定されるものでなく、その要旨を逸脱しない範囲で種々変形して実施できる。
【０１３０】
例えばネットワーク上にデータベース２を設置し、当該データベース２からシステム構成及びそのシステム適用機器の各選択項目画像や複数種類の受電方式、配電方式に関するシステム構成及び複数種類のシステム適用機器のモデル画像を取り出して表示したり、管理テーブル２ａｃに必要なデータを順次格納してもよい。
【符号の説明】
【０１３１】
１…入力部、２…データベース、３…プログラムデータ記憶部、４…設備設計システム評価処理部、４Ａ…受変電設備システム設計部、４Ｂ…リスク評価部、４Ｃ…費用対効果評価部（費用対効果評価ステップ）、４Ｃ１…初期コスト処理手段（初期コスト処理ステップ）、４Ｃ２…運用コスト処理手段（運用コスト処理ステップ）、４Ｃ３…損害費用処理手段（損害費用処理ステップ）、４Ｃ４…収入処理手段（収入処理ステップ）、４Ｃ５…総合処理手段（総合処理ステップ）、４Ｄ…表示出力制御部、５…表示部、６…表示画像データ記憶部。
【図１】
2010161913.tif 000003
【図２】
2010161913.tif 000004
【図３】
2010161913.tif 000005
【図４】
2010161913.tif 000006
【図５】
2010161913.tif 000007
【図６】
2010161913.tif 000008
【図７】
2010161913.tif 000009
【図８】
2010161913.tif 000010
【図９】
2010161913.tif 000011
【図１０】
2010161913.tif 000012
【図１１】
2010161913.tif 000013
【図１２】
2010161913.tif 000014